(57)【要約】【課題】冷却性能を向上させうる冷蔵装置を提供する。【解決手段】冷蔵装置１は、空気の流れ方向と平行でかつ対向した２つの平坦面2aを有する通風ダクト２と、通風ダクト２内に配置された蒸発器３とよりなる。蒸発器３は、並列状に配置された複数のプレートフィン４からなりかつ空気流れ方向に間隔をおいて設けられた複数のフィン群５と、各フィン群５のプレートフィン４に貫通状に固定された複数の直管部６および隣り合う直管部６を接続しかつ直管部６より１つ少ない数の屈曲管部７よりなる熱交換管８とを備えている。蒸発器３のフィン群５のプレートフィン４が、互いに平行な２つの側縁部がそれぞれ空気流れ方向と平行な面内に位置するように配置されている。通風ダクト２の各平坦面2aに、空気の流れを乱すリブ12を、蒸発器３の各フィン群５と対応する高さ位置に設ける。【選択図】図１
2015075266.tif 000002
【特許請求の範囲】
【請求項１】
空気の流れ方向と平行でかつ対向した２つの平坦面を有する通風ダクトと、通風ダクト内に配置された蒸発器とよりなり、蒸発器が、並列状に配置された複数のプレートフィンからなりかつ空気流れ方向に間隔をおいて設けられた複数のフィン群と、各フィン群のプレートフィンに貫通状に固定された複数の直管部および隣り合う直管部を接続しかつ直管部より１つ少ない数の屈曲管部よりなる熱交換管とを備え、フィン群のプレートフィンの互いに平行な２つの側縁部がそれぞれ空気の流れ方向と平行な面内に位置している冷蔵装置であって、
通風ダクトの各平坦面に、空気の流れを乱すリブが複数設けられていることを特徴とする冷蔵装置。
【請求項２】
リブが、蒸発器の各フィン群と対応する高さ位置に設けられている請求項１記載の冷蔵装置。
【請求項３】
各フィン群と対応する高さ位置において、各フィン群のプレートフィンの並び方向に並んで複数のリブが設けられている請求項２記載の冷蔵装置。
【請求項４】
リブが、通風ダクトの平坦面の正面視において、空気の流れ方向に対して傾斜している請求項２または３記載の冷蔵装置。
【請求項５】
各フィン群と対応する高さ位置に設けられたリブが、各フィン群の上端から下端までの範囲内に位置している請求項４記載の冷蔵装置。
【請求項６】
プレートフィンが、熱交換管の直管部と一定の角度をなしかつ空気の流れ方向と平行な平面上に位置する本体部と、本体部の空気の流れ方向上流側の縁部および下流側の縁部に一体に設けられかつ空気の流れ方向に対して傾斜した傾斜部とよりなる請求項２〜５のうちのいずれかに記載の冷蔵装置。
【請求項７】
各フィン群におけるプレートフィンの２つの傾斜部の空気の流れ方向に対する傾斜方向が同じである請求項６記載の冷蔵装置。
【請求項８】
空気の流れ方向に隣り合う２つのフィン群のプレートフィンにおける上流側傾斜部の空気の流れ方向に対する傾斜方向が互いに異なり、下流側傾斜部の空気の流れ方向に対する傾斜方向が互いに異なっている請求項７記載の冷蔵装置。
【請求項９】
各フィン群のプレートフィンの傾斜部における空気の流れ方向に対する傾斜方向と、各フィン群と対応する高さ位置に設けられたリブにおける空気の流れ方向に対する傾斜方向とが異なっている請求項７または８記載の冷蔵装置。
【請求項１０】
空気の流れ方向の上流側のリブから下流側のリブになるにつれて、平坦面に対するリブの突出高さが高くなっている請求項１〜９のうちいずれかに記載の冷蔵装置。
【請求項１１】
リブの横断面形状が台形状であり、リブの横断面形状において、空気の流れ方向の上流側辺の長さが、同下流側辺の長さよりも長くなっている請求項１〜１０のうちいずれかに記載の冷蔵装置。
【発明の詳細な説明】
【技術分野】
【０００１】
この発明は冷蔵装置に関し、さらに詳しくは、例えば、冷蔵庫や冷蔵ショーケース等に用いられる冷蔵装置に関する。
【背景技術】
【０００２】
この種の冷蔵装置として、空気の流れ方向と平行でかつ対向した２つの平坦面を有する通風ダクトと、通風ダクト内に配置された蒸発器とよりなり、蒸発器が、並列状に配置された複数のプレートフィンからなりかつ空気流れ方向に間隔をおいて設けられた複数のフィン群と、各フィン群のプレートフィンに貫通状に固定された複数の直管部および隣り合う直管部を接続しかつ直管部より１つ少ない数の屈曲管部よりなる熱交換管とを備え、フィン群のプレートフィンの互いに平行な２つの側縁部がそれぞれ空気流れ方向と平行な面内に位置しているものが広く用いられている。
【０００３】
従来の冷蔵装置においては、冷却性能を高めるために、各フィン群のプレートフィンにおける空気流れ方向と平行な２つの側縁部と、通風ダクトの両平坦面との間隔を小さくして、各フィン群の隣り合うプレートフィン間に流れる空気の量を多くするという方法が採用されることがある。しかし、前記間隔を小さくすると、空気流れ方向の上流側に位置するフィン群のプレートフィンに霜が発生した場合、空気の流れが阻害されて熱交換量が低下するおそれがある。
【０００４】
そこで、このような問題を解決するために、空気流れ方向上流側のフィン群におけるプレートフィンの空気流れ方向と平行な両側縁部と通風ダクトの両平坦面との間にバイパス風路を設けた冷蔵装置が提案されている（特許文献１参照）。特許文献１記載の冷蔵装置においては、空気流れ方向上流側のフィン群のプレートフィンに霜が発生した場合には、空気がバイパス風路を通過することにより霜が発生していない下流側のフィン群の隣り合うプレートフィン間を通過し、これによって、冷却性能の低下が防止されている。
【先行技術文献】
【特許文献】
【０００５】
【特許文献１】特開２０１１−２０２８５５号公報
【発明の概要】
【発明が解決しようとする課題】
【０００６】
しかしながら、上記特許文献１記載の冷蔵装置においては、霜が発生する前の状態において、前記バイパス風路を空気が流れる際の抵抗が、各フィン群の隣り合うプレートフィン間を空気が流れる際の抵抗よりも小さくなるので、バイパス風路を流れる空気量が各フィン群の隣り合うプレートフィン間を流れる空気量よりも多くなり、冷却性能が低下する。さらに、空気流れ方向下流側のフィン群においては、プレートフィンの空気流れ方向と平行な両側縁部と通風ダクトの両平坦面との間隔が小さいので、プレートフィンに霜が発生した場合、空気の流れが霜に遮られて冷却性能が低下する。
【０００７】
この発明の目的は、上記問題を解決し、蒸発器の全てのプレートフィンを有効に使用でき冷却性能を向上させうる冷蔵装置を提供することにある。
【課題を解決するための手段】
【０００８】
本発明は、上記目的を達成するために以下の態様からなる。
【０００９】
1)空気の流れ方向と平行でかつ対向した２つの平坦面を有する通風ダクトと、通風ダクト内に配置された蒸発器とよりなり、蒸発器が、並列状に配置された複数のプレートフィンからなりかつ空気流れ方向に間隔をおいて設けられた複数のフィン群と、各フィン群のプレートフィンに貫通状に固定された複数の直管部および隣り合う直管部を接続しかつ直管部より１つ少ない数の屈曲管部よりなる熱交換管とを備え、フィン群のプレートフィンの互いに平行な２つの側縁部がそれぞれ空気の流れ方向と平行な面内に位置している冷蔵装置であって、
通風ダクトの各平坦面に、空気の流れを乱すリブが複数設けられていることを特徴とする冷蔵装置。
【００１０】
2)リブが、蒸発器の各フィン群と対応する高さ位置に設けられている上記1)記載の冷蔵装置。
【００１１】
3)各フィン群と対応する高さ位置において、各フィン群のプレートフィンの並び方向に並んで複数のリブが設けられている上記2)記載の冷蔵装置。
【００１２】
4)リブが、通風ダクトの平坦面の正面視において、空気の流れ方向に対して傾斜している上記2)または3)記載の冷蔵装置。
【００１３】
5)各フィン群と対応する高さ位置に設けられたリブが、各フィン群の上端から下端までの範囲内に位置している上記4)記載の冷蔵装置。
【００１４】
6)プレートフィンが、熱交換管の直管部と一定の角度をなしかつ空気の流れ方向と平行な平面上に位置する本体部と、本体部の空気の流れ方向上流側の縁部および下流側の縁部に一体に設けられかつ空気の流れ方向に対して傾斜した傾斜部とよりなる上記2)〜5)のうちのいずれかに記載の冷蔵装置。
【００１５】
7)各フィン群におけるプレートフィンの２つの傾斜部の空気の流れ方向に対する傾斜方向が同じである上記6)記載の冷蔵装置。
【００１６】
8)空気の流れ方向に隣り合う２つのフィン群のプレートフィンにおける上流側傾斜部の空気の流れ方向に対する傾斜方向が互いに異なり、下流側傾斜部の空気の流れ方向に対する傾斜方向が互いに異なっている上記7)記載の冷蔵装置。
【００１７】
9)各フィン群のプレートフィンの傾斜部における空気の流れ方向に対する傾斜方向と、各フィン群と対応する高さ位置に設けられたリブにおける空気の流れ方向に対する傾斜方向とが異なっている上記7)または8)記載の冷蔵装置。
【００１８】
10)空気の流れ方向の上流側のリブから下流側のリブになるにつれて、平坦面に対するリブの突出高さが高くなっている上記1)〜9)のうちいずれかに記載の冷蔵装置。
【００１９】
11)リブの横断面形状が台形状であり、リブの横断面形状において、空気の流れ方向の上流側辺の長さが、同下流側辺の長さよりも長くなっている上記1)〜10)のうちいずれかに記載の冷蔵装置。
【発明の効果】
【００２０】
上記1)〜11)の冷蔵装置によれば、通風ダクトの各平坦面に、空気の流れを乱すリブが複数設けられているので、冷却性能が向上する。すなわち、空気の流れ方向上流側のフィン群のプレートフィンに霜が付着していない状態では、フィン群のプレートフィンにおける空気の流れ方向と平行な面内に位置する両側縁部と、通風ダクトの両平坦面との間に形成されるバイパス用間隙を空気が流れる際の抵抗が、フィン群の隣り合うプレートフィン間を空気が流れる際の抵抗よりも小さくなり、前記バイパス用間隙を流れる空気量が隣り合うプレートフィン間を流れる空気量よりも多くなろうとするが、リブの働きによって前記バイパス用間隙における空気の流れが乱されるので、空気はフィン群側にも流れる。その結果、フィン群の隣り合うプレートフィン間を流れる空気の量が多くなる。一方、空気流れ方向上流側のフィン群のプレートフィンに霜が付着した場合には、空気は、プレートフィンに霜が付着したフィン群においては前記バイパス用間隙を通って流れるが、空気流れ方向下流側の霜が付着していないフィン群においては、リブの働きによって前記バイパス用間隙における空気の流れが乱されるので、空気はフィン群側にも流れる。その結果、霜が付着していないフィン群においても、フィン群の隣り合うプレートフィン間を流れる空気の量が多くなる。したがって、いずれの場合にも、冷蔵装置の冷却性能を向上させることができる。
【００２１】
上記3)〜9)の冷蔵装置によれば、フィン群のプレートフィンにおける空気の流れ方向と平行な面内に位置する両側縁部と、通風ダクトの両平坦面との間のバイパス用間隙における空気の流れが、効果的に乱されることになり、上述した効果が優れたものになる。
【図面の簡単な説明】
【００２２】
【図１】この発明による冷蔵装置の第１の実施形態を示す部分垂直断面である。
【図２】図１のＡ−Ａ線に沿ったプレートフィンとリブの正面図である。
【図３】図１の冷蔵装置に用いられる蒸発器の全体構成を示す斜視図である。
【図４】図１の冷蔵装置に用いられるリブの変形例を示す横断面図である。
【図５】図１の冷蔵装置に用いられるリブの他の変形例を示す図１の一部分に相当する図である。
【図６】この発明による冷蔵装置の第２の実施形態を示す図２相当の図である。
【図７】この発明による冷蔵装置の第３の実施形態を示す図２相当の図である。
【図８】リブとプレートフィンとの関係に伴う時間の経過による伝熱量の変化を示すグラフである。
【発明を実施するための形態】
【００２３】
この発明の実施の形態を図面を参照して説明する。
【００２４】
以下の説明において、図２の上下、左右を上下、左右というものとする。また、図１の左側を前、右側を後というものとする。
【００２５】
また、以下の説明において、「アルミニウム」という用語には、純アルミニウムの他にアルミニウム合金を含むものとする。
【００２６】
図１および図２において、冷蔵装置(1)は、空気の流れ方向と平行でかつ前後方向に対向した２つの平坦面(2a)を有する通風ダクト(2)と、通風ダクト(2)内に配置された蒸発器(3)とを備えている。通風ダクト(2)内において、矢印Ｚで示すように、空気が下方から上方に流れるようになっている。
【００２７】
図１〜図３に示すように、蒸発器(3)は、左右方向に並列状に配置された複数のアルミニウム製プレートフィン(4)からなりかつ上下方向（通風方向）に間隔をおいて複数設けられたフィン群(5)と、各フィン群(5)のプレートフィン(4)に貫通状に固定された左右方向に伸びる複数の直管部(6)および隣り合う２つの直管部(6)を接続しかつ直管部(6)より１つ少ない数の屈曲管部(7)よりなるアルミニウム製熱交換管(8)とを備えており、各フィン群(5)のプレートフィン(4)は、通風ダクト(2)の平坦面(2a)と直角をなした状態で、前後両側縁部（互いに平行な２つの側縁部）がそれぞれ空気の流れ方向と平行な垂直面内に位置するように通風ダクト(2)内に配置されている。なお、蒸発器(3)には、図３に矢印Ｚで示すように下方から上方に流れる。
【００２８】
プレートフィン(4)は前後方向に長い方形の平板状であり、空気の流れ方向の上流側部分（下側部分）および下流側部分（上側部分）が傾斜状に曲げられている。プレートフィン(4)は、熱交換管(8)の直管部(6)と一定の角度、たとえば直角をなしかつ空気流れ方向と平行な平面上に位置する鉛直状の本体部(9)と、本体部(9)の空気流れ方向上流側の縁部および下流側の縁部に一体に設けられかつ本体部(9)に対して傾斜した２つの傾斜部(10)とよりなる。プレートフィン(4)の２つの傾斜部(10)は本体部(9)に対して左右いずれか異なる方向に傾斜状に曲げられており、空気の流れ方向に対する傾斜方向は同じである。ここでは、上下両傾斜部(10)は空気流れ方向下流側に向かって右方に傾斜している。なお、両傾斜部(10)における本体部(9)側端部から先端部までの幅は同一である。プレートフィン(4)の本体部(9)の高さ方向の中央部に２つの貫通穴(11)が前後方向に間隔をおいて形成されており、熱交換管(8)の直管部(6)が貫通穴(11)内に通されてプレートフィン(4)に固定されている。プレートフィン(4)の傾斜部(10)の本体部(9)に対する傾斜角度θは、３０〜７５度であることが好ましい。
【００２９】
通風ダクト(2)の各平坦面(2a)に、平坦面(2a)に対して直角をなす方向に突出した複数のリブ(12)が設けられている。リブ(12)の横断面形状は、上下方向に長い長方形とされている。リブ(12)の突出高さは、たとえばプレートフィン(4)の前後両側縁部と、通風ダクト(2)の両平坦面(2a)との間隔の半分であることが好ましい。具体的にいえば向かい合う両平坦面(2a)の間の距離が８０ｍｍの場合、、リブ(12)の突出高さは５ｍｍ、プレートフィン(4)の前後両側縁部と通風ダクト(2)の両平坦面(2a)との間隔はは１０ｍｍである。
【００３０】
リブ(12)は、蒸発器(3)の各フィン群(5)と対応する高さ位置において、各フィン群(5)のプレートフィン(4)の並び方向（左右方向）に並んで複数設けられている。リブ(12)は、通風ダクト(2)の平坦面(2a)の正面視において、空気の流れ方向に対して傾斜しており、各フィン群(5)と対応する高さ位置に設けられたリブ(12)が、各フィン群(5)の上端から下端までの範囲内に位置している。各フィン群(5)と対応する高さ位置に設けられた複数のリブ(12)は、互いに平行であるとともに重なっておらず、リブ(12)の右側端部がプレートフィン(4)の本体部(9)の上流側縁部から上流側傾斜部(10)の上流側端部までの範囲内に位置し、リブ(12)の左側端部が左方向に数枚離れたプレートフィン(4)の本体部(9)の下流側縁部から下流側傾斜部(10)の下流側端部までの範囲内に位置して設けられている。リブ(12)における空気の流れ方向に対する傾斜方向は、リブ12)と対応する高さ位置に設けられたフィン群(5)のプレートフィン(4)の傾斜部(10)における空気の流れ方向に対する傾斜方向とは異なっている。
【００３１】
冷蔵装置(1)において、液相主体の冷媒が、蒸発器(3)の熱交換管(8)における下端の一方の直管部(6)に流入して熱交換管(8)内を流れ、他方の直管部(6)から流出する。一方、空気は、送風機（図示略）によって、通風ダクト(2)内を図１に矢印Ｚで示すように下方から上方に送られる。そして、熱交換管(8)内を流れる冷媒と通風ダクト(2)内を流れる空気とが熱交換し、空気が冷却される。
【００３２】
そして、空気流れ方向の上流側のフィン群(5)のプレートフィン(4)に霜が付着していない状態では、プレートフィン(4)の前後両側縁部と通風ダクト(2)の両平坦面(2a)との間のバイパス用間隙(S)を流れる空気に対する抵抗が、フィン群(5)の隣り合うプレートフィン(4)間を流れる空気に対する抵抗よりも小さいので、より多くの空気が前記バイパス用間隙(S)を流れようとするが、リブ(12)の働きによって前記バイパス用間隙(S)において空気の流れが乱される。その結果、空気がフィン群(5)側にも多く流れ、フィン群(5)の隣り合うプレートフィン(4)間を流れる空気の量が増加し、冷却性能の低下が防止される。
【００３３】
一方、空気流れ方向の上流側のフィン群(5)のプレートフィン(4)に霜が付着した状態では、上流側のフィン群(5)においては、空気は前記バイパス用間隙(S)を流れてプレートフィン(4)に霜が付着したフィン群(5)を通過し、霜が付着していないフィン群(5)においては、リブ(12)の働きによって前記バイパス用間隙(S)において空気の流れが乱される。その結果、空気がフィン群(5)側にも多く流れ、フィン群(5)の隣り合うプレートフィン(4)間を流れる空気の量が増加し、冷却性能の低下が防止される。
【００３４】
したがって、いずれの場合にも、多くのフィン群(5)のプレートフィン(4)を、冷媒と空気との熱交換に活用することができ、冷蔵装置(1)の冷却性能を向上させることができる。
【００３５】
図４および図５は、この発明による冷蔵装置(1)に用いられるリブの変形例を示す。
【００３６】
図４は、通風ダクト(2)の平坦面(2a)に設けられたリブ(13)の長手方向に対する横断面図である。図４に示すように、リブ(13)の横断面形状は台形状であり、リブ(13)の横断面形状において空気流れ方向の上流側辺（下側の辺）の長さが、下流側辺（上側の辺）の長さよりも長くなっている。
【００３７】
図５は、図１の一部分に相当する図である。図５に示すように、空気流れ方向の上流側のリブ(14a)（下側のリブ(14a)）から下流側のリブ(14e)（上側のリブ(14e)）になるにつれて、平坦面(2a)に対するリブ(14a)(14b)(14c)(14d)(14e)（以下、符号(14)で総称する）の突出高さが高くなっている。  
リブ(14)は、図２に示すリブ(12)と同様に、各フィン群(5)と対応する高さ位置に、各フィン群(5)の上端部から下端部までの範囲内に位置するように設けられており、通風ダクト(2)の平坦面(2a)の正面視において、空気の流れ方向に平行な直線に対して傾斜している。
【００３８】
図６は、この発明による冷蔵装置の第２の実施形態を示す。
【００３９】
図６に示す冷蔵装置では、蒸発器(3a)の空気流れ方向に隣り合う２つのフィン群(5a)(5b)のプレートフィン(4a)(4b)における上流側傾斜部(10a)(10b)の傾斜方向が互いに異なるとともに、下流側傾斜部(10a)(10b)の傾斜方向が互いに異なっている。各フィン群(5a)(5b)と対応する高さ位置に設けられたリブ(15a)(15b)は、通風ダクト(2)の正面視において、空気の流れ方向に平行な直線に対して傾斜しており、各フィン群(5a)(5b)の上端から下端までの範囲内に位置している。また、リブ(15a)(15b)の傾斜方向は、これらのリブ(15a)(15b)と対応する高さ位置の各フィン群(5a)(5b)のプレートフィン(4)の傾斜部(10a)(10b)の傾斜方向と異なっている。上側フィン群(5a)と対応する高さ位置に設けられたリブ(15a)の右側端部がプレートフィン(4a)の本体部(9a)の上流側縁部から上流側傾斜部(10a)の上流側端部までの範囲内に位置し、リブ(15a)の左側端部が左方向に数枚離れたプレートフィン(4)の本体部(9)の下流側縁部から下流側傾斜部(10a)の下流側端部までの範囲内に位置している。また、下側フィン群(5a)と対応する高さ位置に設けられたリブ(15b)の右側端部がプレートフィン(4)の本体部(9b)の下流側縁部から下流側傾斜部(10b)の下流側端部までの範囲内に位置し、リブ(15b)の左側端部が左方向に数枚離れたプレートフィン(4)の本体部(9b)の上流側縁部から上流側傾斜部(10b)の上流側端部までの範囲内に位置している。リブ(15a) (15b)の横断面形状、および平坦面(2a)に対する突出高さは、図１で示したリブ(12)の場合と同様である。
【００４０】
図７は、この発明による冷蔵装置の第３の実施形態を示す。
【００４１】
図７に示す冷蔵装置では、蒸発器(3b)の各フィン群(5c)の全てのプレートフィン(16)の全体が、熱交換管(8)の直管部(6)と一定の角度、たとえば直角をなしかつ空気流れ方向と平行な平面上に位置する鉛直状である。
【００４２】
次に、この発明の第１および第３の実施形態の冷蔵装置を用いて行った実験例を、リブを備えていない冷蔵装置を用いて行った比較実験例とともに説明する。
【００４３】
実験例１〜２
通風ダクト(2)の向かい合う両平坦面(2a)間の距離が８０ｍｍ、リブ(12)の平坦面(2a)からの突出高さが５ｍｍ、リブ(12)の突出端面と各フィン群(5)のプレートフィン(4)の前後両側縁部との間隔が５ｍｍである第１実施形態の冷蔵装置および第３実施形態の冷蔵装置を使用し、熱交換管(8)に冷媒を流しながら、湿度７５％の空気を、風速１．０ｍ／ｓの条件で通風ダクト(2)に送って連続運転試験を行い、伝熱量の経時的変化を調べた。
【００４４】
第１実施形態の冷蔵装置を用いて行った実験結果を図８に曲線Ａで示し、第３実施形態の冷蔵装置を用いて行った実験結果を図８に曲線Ｄで示す。
【００４５】
比較実験例１〜３
リブが設けられていないことを除いては第１実施形態の冷蔵装置と同様な構成の２種類の冷蔵装置、およびリブが設けられていないことを除いては第３実施形態の冷蔵装置と同様な構成の冷蔵装置を使用し、熱交換管(8)に冷媒を流しながら、湿度７５％の空気を、風速１．０ｍ／ｓの条件で通風ダクト(2)に送って連続運転試験を行い、伝熱量の経時的変化を調べた。
【００４６】
通風ダクト(2)の平坦面(2a)にリブ(12)が設けられていないことを除いては第１実施形態の冷蔵装置と同様な構成であり、かつ各フィン群(5)のプレートフィン(4)の前後両側縁部と平坦面(2a)との間隔を０とした冷蔵装置を用いて行った結果を図８に曲線Ｂで示し、同じく前記間隔を１０ｍｍとした冷蔵装置を用いて行った実験結果を図８に曲線Ｃで示す。
【００４７】
また、通風ダクト(2)の平坦面(2a)にリブ(12)が設けられていないことを除いては第３実施形態の冷蔵装置と同様な構成であり、かつ各フィン群(5c)のプレートフィン(16)の前後両側縁部と平坦面(2a)との間隔を１０ｍｍとした冷蔵装置を用いて行った実験結果を図８に曲線Ｅで示す。
【００４８】
図８から明らかなように、通風ダクト(2)の平坦面(2a)にリブ(12)が設けられている場合（曲線Ａ、Ｄ）には、リブが設けられておらずかつプレートフィン(4)(16)の前後両側縁部と平坦面(2a)との間隔が大きい場合（曲線Ｃ、Ｅ）に比べて、冷却性能が優れているとともに、優れた冷却性能が長期間にわたって維持されることが分かる。
【００４９】
また、リブが設けられておらずかつプレートフィン(4)の前後両側縁部と平坦面(2a)との間隔が０の場合（曲線Ｂ）には、すべての空気がフィン群(5)の隣り合うプレートフィン(4)間を流れるので、冷却性能が優れたものになる。しかしながら、さらに時間が経過して空気流れ方向上流側のフィン群(5)のプレートフィン(4)に霜が付着した場合には、冷却性能は極端に低下すると考えられる。
【産業上の利用可能性】
【００５０】
この発明による冷蔵装置は、冷蔵庫、冷蔵ショーケースなどに好適に用いられる。
【符号の説明】
【００５１】
(1)：冷蔵装置
(2)：通風ダクト
(2a)：平坦面
(3)(3a)(3b)：蒸発器
(4)(4a)(16)：プレートフィン
(5)(5a)(5b)(5c)：フィン群
(6)：直管部
(7)：屈曲管部
(8)：熱交換管
(9)(9a)(9b)：本体部
(10)(10a)(10b)：傾斜部
(12)(13)(14a)(14b)(14c)(14d)(14e)(15a)(15b)：リブ
(s)：バイパス用間隙
【図１】
2015075266.tif 000003
【図２】
2015075266.tif 000004
【図３】
2015075266.tif 000005
【図４】
2015075266.tif 000006
【図５】
2015075266.tif 000007
【図６】
2015075266.tif 000008
【図７】
2015075266.tif 000009
【図８】
2015075266.tif 000010